(57)【特許請求の範囲】
【請求項１】
外部からデジタル画像ファイルの入力が可能なデジタル画像ファイル入力手段と、デジタル画像ファイルの読み込み及び書き込みが可能な外部記憶装置と、オーダーシートのマーキング状態を読み取り可能なマーキング状態読み取り手段と、前記デジタル画像ファイル入力手段を介してのデジタル画像入力制御、前記外部記憶装置の制御及び前記マーキング状態読み取り手段で前記オーダーシートのマーキング状態を読み取る制御を実行する制御装置とを備え、被記録材の記録面にデジタル画像ファイルに基づくデジタル画像の記録を実行可能な構成を有する記録装置であって、
前記制御装置は、前記デジタル画像ファイル入力手段で入力した若しくは入力可能な状態にある一連のデジタル画像ファイル群のサムネール画像一覧及び該サムネール画像一覧の並び方向に隣接するサムネール画像の間のそれぞれに配置される分類用マーキングエリアを所定の様式で被記録材に記録して前記オーダーシートを作成し、
ユーザがマーキングした後の前記オーダーシートのマーキング状態を前記マーキング状態読み取り手段で読み取り、
読み取った前記オーダーシートの前記分類用マーキングエリアのうち、マーキングされている前記分類用マーキングエリア部分を分類境界として、前記デジタル画像ファイル入力手段で入力した若しくは入力可能な状態にある一連のデジタル画像ファイル群を複数のグループに分類し、前記外部記憶装置で書き込み可能な状態にある記憶媒体上に分類したグループごとにフォルダを作成し、作成した各フォルダに対応するグループのデジタル画像ファイルを各フォルダに保存する、ことを特徴とした記録装置。
【請求項２】
請求項１において、前記制御装置は、前記サムネール画像一覧、前記分類用マーキングエリア及び前記サムネール画像ごとに保存しないことを指定可能な保存不要指定マーキングエリアを所定の様式で被記録材に記録して前記オーダーシートを作成し、
読み取った前記オーダーシートの前記保存不要指定マーキングエリアのマーキング状態から保存不要指定されているデジタル画像ファイルを特定し、特定したデジタル画像ファイルを前記記憶媒体への保存対象から除外する、ことを特徴とした記録装置。
【請求項３】
請求項１又は２において、前記制御装置は、前記オーダーシートを作成する際には、前記マーキング状態読み取り手段で読み取り可能なオーダーシート識別用表示を前記オーダーシートの所定の位置に記録し、
前記オーダーシートを読み取る際には、マーキング状態を読み取り可能な状態にある被記録材の所定の位置に前記オーダーシート識別用表示が記録されているか否かで当該被記録材が前記オーダーシートか否かを識別する、ことを特徴とした記録装置。
【請求項４】
請求項３において、前記オーダーシート識別用表示から特定可能な情報は、当該被記録材が前記オーダーシートであることの他、前記デジタル画像ファイル入力手段で入力した若しくは入力可能な状態にある一連のデジタル画像ファイル群の前記オーダーシートが複数頁で構成される場合には、一連の前記オーダーシートの総頁数及び当該オーダーシートの頁番号も含まれる、ことを特徴とした記録装置。
【請求項５】
外部からデジタル画像ファイルの入力が可能なデジタル画像ファイル入力手段と、デジタル画像ファイルの読み込み及び書き込みが可能な外部記憶装置と、オーダーシートのマーキング状態を読み取り可能なマーキング状態読み取り手段とを備え、被記録材の記録面にデジタル画像ファイルに基づくデジタル画像の記録を実行可能な構成を有する記録装置において、前記デジタル画像ファイル入力手段を介してのデジタル画像入力制御、前記外部記憶装置の制御及び前記マーキング状態読み取り手段で前記オーダーシートのマーキング状態を読み取る制御をコンピュータに実行させるための記録制御プログラムであって、
前記デジタル画像ファイル入力手段で入力した若しくは入力可能な状態にある一連のデジタル画像ファイル群のサムネール画像一覧及び該サムネール画像一覧の並び方向に隣接するサムネール画像の間のそれぞれに配置される分類用マーキングエリアを所定の様式で被記録材に記録して前記オーダーシートを作成する手順と、
ユーザがマーキングした後の前記オーダーシートのマーキング状態を前記マーキング状態読み取り手段で読み取る手順と、
読み取った前記オーダーシートの前記分類用マーキングエリアのうち、マーキングされている前記分類用マーキングエリア部分を分類境界として、前記デジタル画像ファイル入力手段で入力した若しくは入力可能な状態にある一連のデジタル画像ファイル群を複数のグループに分類する手順と、
前記外部記憶装置で書き込み可能な状態にある記憶媒体上に分類したグループごとにフォルダを作成する手順と、
作成した各フォルダに対応するグループのデジタル画像ファイルを各フォルダに保存する手順とを有する、ことを特徴とした記録制御プログラム。
【発明の詳細な説明】
【技術分野】
【０００１】
本発明は、被記録材の記録面にデジタル画像ファイルに基づくデジタル画像の記録を実行可能な構成を有する記録装置、該記録装置のコンピュータで実行可能な記録制御プログラムに関する。
【背景技術】
【０００２】
デジタルカメラ等で撮影したデジタル画像ファイルは、メモリカード等の小型の記憶媒体やＵＳＢインタフェース等を介して、ＣＤ−ＲやＤＶＤ−Ｒ等の光記憶ディスク或いはハードディスク等の磁気ディスクといった大容量の記憶媒体に保存して一括して管理されるのが一般的である。近年は、このような記憶媒体にデジタル画像ファイルを保存することが可能な光記憶ディスクドライブやハードディスクドライブ（ＨＤＤ）を備えたインクジェットプリンタ等の記録装置が公知である。ユーザは、デジタルカメラ等で撮影したデジタル画像ファイルを、メモリカード等の小型の記憶媒体やＵＳＢインタフェース等を介してプリンタに直接読み込ませて写真用紙等に印刷（ダイレクトプリント）するとともに、読み込ませたデジタル画像ファイルをＣＤ−ＲやＤＶＤ−Ｒ或いは内蔵ハードディスクに保存して一括管理することができる。
【０００３】
ところが従来は、例えば、メモリカードをプリンタのメモリカードスロットに挿入して、或いはデジタルカメラをＵＳＢケーブルでプリンタに直接接続して、メモリカード内の複数のデジタル画像ファイルをＣＤ−Ｒ等或いはプリンタ内蔵のハードディスク等に転送して保存する際には、メモリカードごとに１つのフォルダがＣＤ−Ｒ等或いはハードディスクのディスク上に自動作成され、そのフォルダにメモリカード内の複数のデジタル画像ファイルが全てそのフォルダに一括保存されるようになっているのが一般的であった。メモリカード内のデジタル画像ファイルの数が少ないうちは問題ないが、近年のメモリカードは、より小型化されつつも記憶容量は年々増加しており、１つのメモリカード内に保存可能なデジタル画像ファイルの数は増加しつつある。
【０００４】
そのため、１つのフォルダ内に多数のデジタル画像ファイルがそのまま一括保存されることとなり、ハードディスク等のフォルダには、ユーザが所望のデジタル画像ファイルを検索するのに多大の労力と時間を要するほど多数のデジタル画像ファイルが一括保存されてしまうことが少なくなかった。他方、そのような検索時の負担を軽減するために、デジタル画像ファイルをハードディスク等に保存する際に、ユーザが複数のフォルダを手動で作成してデジタル画像ファイルを１つずつ手作業で分類するとなると、煩わしく面倒であるとともに、特に電子機器の操作が苦手なユーザには大きな負担を強いることにもなりかねない。
【０００５】
このような課題を解決可能な従来技術の一例としては、読み込んだデジタル画像ファイルに付加されている撮影日時や読取日時等の時刻情報に基づいて、その撮影日時等の時刻が近接しているデジタル画像ファイルをグループ化して複数のグループに分類し、そのグループごとにフォルダを作成してデジタル画像ファイルを保存する画像読取保存装置が公知である（例えば、特許文献１を参照）。
【０００６】
【特許文献１】特開２０００−３３９３４４号公報
【発明の開示】
【発明が解決しようとする課題】
【０００７】
しかしながら、一定の範囲で撮影日時等の時刻が近接しているデジタル画像ファイルをグループ化して分類するという画一的な分類は、必ずしも全てのユーザにとって検索し易い分類であるとは限らないし、必ずしもユーザが期待するような分類がなされるとは限らない。そのため、所望のデジタル画像ファイルを検索する際に、その分類がほとんど役に立たない場合もあり、結局多大な労力と時間を費やして所望のデジタル画像ファイルを探すことになる虞があった。
【０００８】
本発明は、このような状況に鑑み成されたものであり、その課題は、ＣＤ−Ｒやハードディスク等のディスクドライブを備えた記録装置において、多数のデジタル画像ファイルを記憶媒体上で分類して一括管理する際に、ユーザ個々の事情に合わせた分類基準で簡単かつ直感的にデジタル画像ファイルを分類して保存できるようにすることにある。
【課題を解決するための手段】
【０００９】
上記課題を達成するため、本発明の第１の態様は、外部からデジタル画像ファイルの入力が可能なデジタル画像ファイル入力手段と、デジタル画像ファイルの読み込み及び書き込みが可能な外部記憶装置と、オーダーシートのマーキング状態を読み取り可能なマーキング状態読み取り手段と、前記デジタル画像ファイル入力手段を介してのデジタル画像入力制御、前記外部記憶装置の制御及び前記マーキング状態読み取り手段で前記オーダーシートのマーキング状態を読み取る制御を実行する制御装置とを備え、被記録材の記録面にデジタル画像ファイルに基づくデジタル画像の記録を実行可能な構成を有する記録装置であって、前記制御装置は、前記デジタル画像ファイル入力手段で入力した若しくは入力可能な状態にある一連のデジタル画像ファイル群のサムネール画像一覧及び該サムネール画像一覧の並び方向に隣接するサムネール画像の間のそれぞれに配置される分類用マーキングエリアを所定の様式で被記録材に記録して前記オーダーシートを作成し、ユーザがマーキングした後の前記オーダーシートのマーキング状態を前記マーキング状態読み取り手段で読み取り、読み取った前記オーダーシートの前記分類用マーキングエリアのうち、マーキングされている前記分類用マーキングエリア部分を分類境界として、前記デジタル画像ファイル入力手段で入力した若しくは入力可能な状態にある一連のデジタル画像ファイル群を複数のグループに分類し、前記外部記憶装置で書き込み可能な状態にある記憶媒体上に分類したグループごとにフォルダを作成し、作成した各フォルダに対応するグループのデジタル画像ファイルを各フォルダに保存する、ことを特徴とした記録装置である。
【００１０】
例えば、メモリカードスロットに挿入されたメモリカードからデジタル画像ファイル入力手段で入力した一連のデジタル画像ファイル群、若しくはデジタル画像ファイル入力手段で入力可能な状態にあるメモリカードスロットに挿入されたメモリカードに保存されている一連のデジタル画像ファイル群を、記録装置に内蔵されているハードディスク等に保存する際には、ユーザは、まず、その一連のデジタル画像ファイル群のサムネール画像一覧を記録したオーダーシートを作成する。作成したオーダーシートには、一連のデジタル画像ファイル群のサムネール画像一覧が記録されるとともに、そのサムネール画像一覧の並び方向に隣接するサムネール画像の間のそれぞれに分類用マーキングエリアが記録されている。
【００１１】
ユーザは、作成されたオーダーシートのサムネール画像一覧を観ながら、各サムネール画像の画像から所望の分類条件で区切りとなるサムネール画像間の分類用マーキングエリアを特定してマーキングする。
【００１２】
そして、このマーキング後のオーダーシートを記録装置のマーキング状態読み取り手段で読み取らせることによって、マーキングされている分類用マーキングエリアを分類境界として、前記一連のデジタル画像ファイル群が複数のグループに分類される。外部記憶装置で書き込み可能な状態にある記憶媒体上には、この分類したグループごとにフォルダが作成され、作成された各フォルダに対応するグループのデジタル画像ファイルが各フォルダにそれぞれ保存される。
【００１３】
このようにして、本発明の第１の態様に記載の記録装置によれば、例えば、メモリカードスロットに挿入されたメモリカードに保存されている複数のデジタル画像ファイルのような一連のデジタル画像ファイル群について、オーダーシートに記録されたそれらのサムネール画像一覧の各画像を観ながら視覚的に分類境界を設定して分類して保存することができるので、ＣＤ−Ｒやハードディスク等のディスクドライブを備えた記録装置において、多数のデジタル画像ファイルを記憶媒体上で分類して一括管理する際に、ユーザ個々の事情に合わせた分類基準で簡単かつ直感的にデジタル画像ファイルを分類して保存できるという作用効果が得られる。
【００１４】
また、従来のように画一的な分類ではなくユーザ個々の事情に合わせた分類基準で一連のデジタル画像ファイル群を分類して保存することができるので、保存後にユーザがその記憶媒体上から所望のデジタル画像ファイルを検索することが容易になり、検索時の労力が低減されるとともに検索時間を短縮することができるという作用効果が得られる。
【００１５】
さらに、ユーザは、オーダーシートをマーキングするだけで、あとは記録装置が自動的に一連のデジタル画像ファイル群を分類して各フォルダを作成し、フォルダごとに分類して保存してくれるので、多数のデジタル画像ファイルを記憶媒体上で分類して一括管理する際に従来のような煩雑なパネル操作等が不要になり、利便性も向上するという作用効果が得られる。
【００１６】
本発明の第２の態様は、前述した第１の態様において、前記制御装置は、前記サムネール画像一覧、前記分類用マーキングエリア及び前記サムネール画像ごとに保存しないことを指定可能な保存不要指定マーキングエリアを所定の様式で被記録材に記録して前記オーダーシートを作成し、読み取った前記オーダーシートの前記保存不要指定マーキングエリアのマーキング状態から保存不要指定されているデジタル画像ファイルを特定し、特定したデジタル画像ファイルを前記記憶媒体への保存対象から除外する、ことを特徴とした記録装置である。
【００１７】
このように、オーダーシートに保存不要指定マーキングエリアが設けられているので、撮影を失敗した等で不要なデジタル画像ファイルを選択して保存不要指定マーキングエリアをマーキングすれば、多数のデジタル画像ファイルを記憶媒体上で分類して一括管理する際に、撮影を失敗した等で不要なデジタル画像ファイルを事前に排除することができる。したがって、不要なデジタル画像ファイルまで保存してしまうことによって、ハードディスク等の記憶媒体の保存容量が無駄に消費されてしまう虞を低減させることができる。
【００１８】
本発明の第３の態様は、前述した第１の態様又は第２の態様において、前記制御装置は、前記オーダーシートを作成する際には、前記マーキング状態読み取り手段で読み取り可能なオーダーシート識別用表示を前記オーダーシートの所定の位置に記録し、前記オーダーシートを読み取る際には、マーキング状態を読み取り可能な状態にある被記録材の所定の位置に前記オーダーシート識別用表示が記録されているか否かで当該被記録材が前記オーダーシートか否かを識別する、ことを特徴とした記録装置である。
【００１９】
このように、マーキング状態読み取り手段でオーダーシートを読み取る際に、読み取ろうとしている被記録材がオーダーシートか否かを識別可能な目印として、オーダーシート作成時にオーダーシートの所定の位置にオーダーシート識別用表示を予め記録しておく。そして、オーダーシートを読み取る際には、まずオーダーシート識別用表示を検出して当該被記録材が確かにオーダーシートであることを確認してからマーキング状態を読み取るようにすれば、オーダーシート以外の被記録材をマーキング状態読み取り手段で読み取ってしまうことによるエラー発生等を未然に防止することができる。
【００２０】
本発明の第４の態様は、前述した第３の態様において、前記オーダーシート識別用表示から特定可能な情報は、当該被記録材が前記オーダーシートであることの他、前記デジタル画像ファイル入力手段で入力した若しくは入力可能な状態にある一連のデジタル画像ファイル群の前記オーダーシートが複数頁で構成される場合には、一連の前記オーダーシートの総頁数及び当該オーダーシートの頁番号も含まれる、ことを特徴とした記録装置である。
【００２１】
例えば、メモリカードスロットに挿入されたメモリカードに膨大な数のデジタル画像ファイルが保存されているような場合には、画像内容を視認可能な大きさのサムネール画像を１枚のオーダーシートに全て並べて記録することは不可能であるから、そのような場合には、その一連のデジタル画像ファイル群に対して複数頁で構成されるオーダーシートを作成することになる。このとき、オーダーシート識別用表示から複数頁で構成された一連のオーダーシートの総頁数及び当該オーダーシートの頁番号等が特定できれば、オーダーシートのマーキング状態を読み取る際に頁番号順に読み取らせなくても正しくマーキング状態を特定することが可能になるとともに、オーダーシートの全ての頁を漏れなく読み取らせることが容易になる。
【００２２】
本発明の第５の態様は、外部からデジタル画像ファイルの入力が可能なデジタル画像ファイル入力手段と、デジタル画像ファイルの読み込み及び書き込みが可能な外部記憶装置と、オーダーシートのマーキング状態を読み取り可能なマーキング状態読み取り手段とを備え、被記録材の記録面にデジタル画像ファイルに基づくデジタル画像の記録を実行可能な構成を有する記録装置において、前記デジタル画像ファイル入力手段を介してのデジタル画像入力制御、前記外部記憶装置の制御及び前記マーキング状態読み取り手段で前記オーダーシートのマーキング状態を読み取る制御をコンピュータに実行させるための記録制御プログラムであって、前記デジタル画像ファイル入力手段で入力した若しくは入力可能な状態にある一連のデジタル画像ファイル群のサムネール画像一覧及び該サムネール画像一覧の並び方向に隣接するサムネール画像の間のそれぞれに配置される分類用マーキングエリアを所定の様式で被記録材に記録して前記オーダーシートを作成する手順と、ユーザがマーキングした後の前記オーダーシートのマーキング状態を前記マーキング状態読み取り手段で読み取る手順と、読み取った前記オーダーシートの前記分類用マーキングエリアのうち、マーキングされている前記分類用マーキングエリア部分を分類境界として、前記デジタル画像ファイル入力手段で入力した若しくは入力可能な状態にある一連のデジタル画像ファイル群を複数のグループに分類する手順と、前記外部記憶装置で書き込み可能な状態にある記憶媒体上に分類したグループごとにフォルダを作成する手順と、作成した各フォルダに対応するグループのデジタル画像ファイルを各フォルダに保存する手順とを有する、ことを特徴とした記録制御プログラムである。  
本発明の第５の態様に記載の記録制御プログラムによれば、この記録制御プログラムを実行可能な任意の記録装置に、本発明の第１の態様に記載の発明と同様の作用効果をもたらすことができる。
【発明を実施するための最良の形態】
【００２３】
以下、本発明の実施の形態を図面に基づいて説明する。  
まず、本発明に係る「記録装置」の一例としてのインクジェット式記録装置の概略構成について説明する。
【００２４】
図１は、本発明に係るインクジェット式記録装置の要部平面図であり、図２はその側面図である。図３は、本発明に係るインクジェット式記録装置の概略のブロック図である。  
インクジェット式記録装置５０には、「被記録材」としての記録紙Ｐにインクを噴射して記録を行う記録ヘッド６２を記録紙Ｐに対して主走査方向Ｘに走査させる手段として、記録紙Ｐに対して主走査方向Ｘへ移動可能にキャリッジガイド軸５１に軸支されたキャリッジ６１が設けられている。キャリッジ６１には、記録ヘッド６２と後述するＰＷセンサ３４とが搭載されており、ＣＲモータ６３（図３）の回転駆動力が図示していない無端ベルトによるベルト伝達機構によって伝達されて主走査方向Ｘに往復動する。記録ヘッド６２のヘッド面と対向する位置には、後述する「被記録材搬送手段」により搬送される記録紙Ｐを摺接支持しつつ記録紙Ｐの記録面と記録ヘッド６２のヘッド面との間隔を所定間隔に規定するプラテン５２が設けられている。
【００２５】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００２６】
また、インクジェット式記録装置５０には、記録ヘッド６２を記録紙Ｐに対して副走査方向Ｙに走査させる如く記録紙Ｐを副走査方向Ｙへ搬送可能な「被記録材搬送手段」として、記録紙Ｐを副走査方向Ｙに搬送する搬送駆動ローラ５３と搬送従動ローラ５４が設けられている。搬送駆動ローラ５３は、ＰＦモータ５８（図３）の回転駆動力が歯車伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の外周面には、高摩擦抵抗を有する皮膜が施されている。搬送従動ローラ５４によって、搬送駆動ローラ５３の外周面に押しつけられた記録紙Ｐは、摩擦抵抗によって搬送駆動ローラ５３の外周面に密着し、搬送駆動ローラ５３の回転によって副走査方向に搬送される。
【００２７】
搬送駆動ローラ５３の副走査方向Ｙの上流側には、多数の記録紙Ｐを積重可能な「被記録材積重手段」としての給紙トレイ５７が配設されている。給紙トレイ５７は、例えば普通紙やフォト紙等の記録紙Ｐを給紙（給送）可能な構成となっている。給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。
【００２８】
そして、ＰＦモータ５８（図３）の回転駆動力が歯車伝達されて回転する給紙ローラ５７ｂの回転駆動力と、分離パッドの摩擦抵抗により、給紙トレイ５７に置かれた記録紙Ｐは、複数の記録紙Ｐが一度に給紙されることなく最上位の記録紙Ｐのみが正確に分離されて一枚ずつ自動給紙される。給紙ローラ５７ｂと搬送駆動ローラ５３との間には、公知の技術による紙検出器３３が配設されている。
【００２９】
一方、記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖った歯付きローラになっている。  
そして、給紙ローラ５７ｂや搬送駆動ローラ５３及び排紙駆動ローラ５５を回転駆動するＰＦモータ５８（図３）、並びにキャリッジ６１を主走査方向Ｘに駆動するＣＲモータ６３（図３）は、後述する記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００３０】
引き続き図１〜図３を参照しながら「制御装置」としての記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、ＰＦモータドライバ１０６、ＣＲモータドライバ１０７及びヘッドドライバ１０８を備えている。ＭＰＵ１０４には、ＡＳＩＣ１０３を介して搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの先端及び後端を検出する紙検出器３３、主走査方向Ｘの記録紙Ｐの端部を検出するためのＰＷセンサ３４、インクジェット式記録装置５０の電源をＯＮ／ＯＦＦするための電源スイッチ３５及び記録紙Ｐへの記録開始操作をするための記録操作スイッチ３６の出力信号が入力される。
【００３１】
公知のロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
キャリッジ６１の移動方向及び移動量を特定可能な検出信号を出力する「キャリッジ移動検出手段」として公知のリニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルスの周期が移動速度に伴い変化するリニアスケールセンサ３２２の出力信号は、ＡＳＩＣ１０３を介してＭＰＵ１０４へ出力される。
【００３２】
公知の紙検出器３３は、立位姿勢への自己復帰習性が付与され、かつ記録紙Ｐの搬送方向（副走査方向Ｙ）にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である（図２）。紙検出器３３は、給紙ローラ５７ｂより給紙された記録紙Ｐの始端位置及び搬送中の記録紙Ｐの終端位置を検出し、その検出信号は、ＡＳＩＣ１０３を介してＭＰＵ１０４へ出力される。  
「被記録材検出手段」としてのＰＷセンサ３４は、キャリッジ６１の記録紙Ｐの記録面と対向する部分に、プラテン５２の記録紙摺接面の光反射率と記録紙Ｐの記録面の光反射率との差からプラテン５２上にある記録紙Ｐの端部を非接触で検出可能な構成を有し、その検出信号は、ＡＳＩＣ１０３を介してＭＰＵ１０４へ出力される。
【００３３】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８及びＣＲモータ６３の速度制御、並びに記録ヘッド６２の駆動制御を行う為の制御回路を有している。ＭＰＵ１０４から送られてくる制御命令、ロータリエンコーダ３１の出力信号、及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３４】
ＡＳＩＣ１０３は、「情報処理装置」としてのパーソナルコンピュータ３０１、デジタルカメラ３０２或いは不揮発性メモリカード３０３等からデジタル画像ファイルの入力が可能な「デジタル画像ファイル入力手段」としてカードＩＦ１１１、ホストＩＦ１１２及びデバイスＩＦ１１３を有している。カードＩＦ１１１は、カードスロット２００に挿入される不揮発性メモリカード３０３やＰＣカード等のカードインタフェースを実現する。カードスロット２００に不揮発性メモリカード３０３が挿入された場合には、不揮発性メモリカード３０３のデータの読み書きが可能になる。ホストＩＦ１１２は、ホスト装置接続用のＵＳＢコネクタ３７に接続されるパーソナルコンピュータ（ＰＣ）３０１等のホスト装置とのＵＳＢインタフェースを実現する。ＵＳＢコネクタ３７は、インクジェット式記録装置５０の背面側に配設されている（図２）。デバイスＩＦ１１３は、デバイス接続用のＵＳＢコネクタ３８に接続されるデジタルカメラ（ＤＳＣ）３０２等のＵＳＢデバイスとのＵＳＢインタフェースを実現する。ＵＳＢコネクタ３８は、デジタルカメラ３０２等のＵＳＢデバイスの着脱が容易に行えるようにインクジェット式記録装置５０の前面側に配設されている（図２）。
【００３５】
インクジェット式記録装置５０は、デジタル画像ファイルの読み込み及び書き込みが可能な「外部記憶装置」としてのハードディスクドライブ２０１及び後述する「オーダーシート」のマーキング状態を読み取り可能な「マーキング状態読み取り手段」としてスキャナユニット４１を備えている。ハードディスクドライブ２０１は、ＡＳＩＣ１０３に接続されており、カードＩＦ１１１、ホストＩＦ１１２又はデバイスＩＦ１１３を介して外部から入力したデジタル画像ファイルを「記憶媒体」としてのハードディスクに保存することができる。また、ハードディスクドライブ２０１のハードディスクに保存されたデジタル画像ファイルは、記録制御部１００から或いは外部から（例えば、ホストＩＦに接続されたパーソナルコンピュータ３０１等のホスト装置から）も任意に読込及び削除等することができる。
【００３６】
スキャナユニット４１は、被記録材に記録されている画像等を読み取ることが可能な公知の画像読み取り装置である。スキャナユニット４１の所定の位置に読み取り対象となる「オーダーシート」を載置した状態で、オーダーシート読取スイッチ４２を操作すると、その「オーダーシート」のマーキング状態を読み取ることができる。また、読み取り中に読み取り動作を中止するときは、オーダーシート読取中止スイッチ４３を操作する。尚、ハードディスクドライブ２０１は、例えば、ＣＤ−ＲやＤＶＤ−Ｒ等の光記憶ディスクのディスクドライブであっても本発明の実施は可能である。
【００３７】
「制御装置」としての記録制御部１００は、「デジタル画像ファイル入力手段」としてカードＩＦ１１１、ホストＩＦ１１２及びデバイスＩＦ１１３を介してのデジタル画像入力制御、「外部記憶装置」としてのハードディスクドライブ２０１の制御及び「マーキング状態読み取り手段」としてのスキャナユニット４１で後述する「オーダーシート」のマーキング状態を読み取る制御を実行する。また、記録制御部１００は、所定の操作によって、デジタルカメラ３０２や不揮発性メモリカード３０３からデジタル画像ファイルを直接読み込んで記録紙Ｐへの記録を実行する制御（ダイレクトプリント）も実行できる。
【００３８】
以上説明したような構成を有する本発明に係るインクジェット式記録装置５０は、カードＩＦ１１１、ホストＩＦ１１２又はデバイスＩＦ１１３を介してデジタルカメラ３０２や不揮発性メモリカード３０３等から入力可能な状態にある一連のデジタル画像ファイル群をハードディスクドライブ２０１のハードディスクに保存する際に、以下のようにしてフォルダごとに自動分類して保存することができる。以下、不揮発性メモリカード３０３を例に説明することとする。
【００３９】
まず、本発明に係る「オーダーシート」及び記録制御部１００が実行する「オーダーシート」の作成手順について説明する。
【００４０】
図４は、本発明に係る「オーダーシート」を模式的に図示した平面図である。  
記録制御部１００は、ユーザによる所定の操作により、カードＩＦ１１１を介して不揮発性メモリカード３０３から入力可能な状態にある一連のデジタル画像ファイル群のサムネール画像ＳＭの一覧（画像Ａ〜画像Ｏ）、サムネール画像ＳＭの一覧の並び方向に隣接するサムネール画像ＳＭの間のそれぞれに配置される分類用マーキングエリアＧ、サムネール画像ＳＭごとに保存しないことを指定可能な保存不要指定マーキングエリアＳ及び当該記録紙Ｐが「オーダーシート」であることを識別するためのオーダーシート識別用表示ＳＤを、図４に図示した所定の様式で記録紙Ｐに記録して「オーダーシート」を作成する。  
尚、サムネール画像ＳＭの並び順は、どのような並び順でも差し支えないが、例えばデジタル画像ファイルの撮影日時やファイル作成日時を基準に並び順を既定しても良いし、ユーザが任意の基準で並び順を自由に設定できるようにしても良い。また、サムネール画像が付加されていないデジタル画像ファイルにおいては、そのデジタル画像ファイルの展開画像を縮小してサムネール画像の代わりに並べて記録すれば良い。
【００４１】
図５は、本発明に係る「オーダーシート」の作成手順を示したフローチャートである。尚、当該フローチャートに示した手順は、カードＩＦ１１１を介して不揮発性メモリカード３０３から一連のデジタル画像ファイル群を入力可能な状態にあるときに、ユーザが所定のオーダーシート作成操作を行うと記録制御部１００が実行する手順である。
【００４２】
まず、不揮発性メモリカード３０３内のデジタル画像ファイルに時系列（撮影日時順、ファイル作成日時順等）の識別番号を関連付けたファイル識別番号リストを作成する（ステップＳ１）。当該ファイル識別番号リストは、例えばＲＡＭ１０２上に作成して保持すれば良い。つづいて、記録紙Ｐの給紙を行い（ステップＳ２）、正常に記録紙Ｐが給紙されたか否かを紙検出器３３の検出状態等から判定する（ステップＳ３）。正常に記録紙Ｐの給紙がされなかった場合には（ステップＳ３でＮｏ）、給紙エラーとして当該手順を終了する。一方、正常に記録紙Ｐの給紙がされた場合には（ステップＳ３でＹｅｓ）、各デジタル画像ファイルのサムネール画像を図４に示した如く前記ファイル識別番号リストの識別番号順に所定の様式で並べて記録紙Ｐに記録するとともに、合わせて分類用マーキングエリアＧ、保存不要指定マーキングエリアＳ及びオーダーシート識別用表示ＳＤも当該記録紙Ｐに図４に示した配置で記録して「オーダーシート」を作成し（ステップＳ４）、排紙する（ステップＳ５）。
【００４３】
つづいて、前記ファイル識別番号リストを参照する等して残りのデジタル画像ファイルがあるか否かを判定し（ステップＳ６）、残りのデジタル画像ファイルがある場合には（ステップＳ６でＹｅｓ）、次の記録紙Ｐを給紙して（ステップＳ２）次の「オーダーシート」を作成する。一方、残りのデジタル画像ファイルがない場合には（ステップＳ６でＮｏ）、引き続き「オーダーシート」の読み取りを行うか中止するかの選択をユーザに表示して（ステップＳ７）当該手順を終了する。
【００４４】
例えば、不揮発性メモリカード３０３内のデジタル画像ファイルが多数あって「オーダーシート」が複数頁に渡って構成されるような場合には、画像内容を視認可能な大きさのサムネール画像ＳＭを１枚のオーダーシートに全て並べて記録することは不可能である。そこで、この「オーダーシート」の作成手順においては、オーダーシート識別用表示ＳＤから識別可能な情報として、当該被記録材が「オーダーシート」であることの他、当該不揮発性メモリカード３０３に対応する「オーダーシート」の総頁数及び各オーダーシートの頁番号も含まれるようにするのが好ましい。「オーダーシート」の読み取り時に、まずオーダーシート識別用表示ＳＤから複数頁で構成された一連の「オーダーシート」の総頁数及び当該「オーダーシート」の頁番号が特定できれば、「オーダーシート」のマーキング状態を読み取る際に頁番号順に読み取らせなくても正しくマーキング状態を特定することが可能になるとともに、「オーダーシート」の全ての頁を漏れなく読み取らせることが容易になる。尚、オーダーシート識別用表示ＳＤは、例えば、公知のバーコードで構成しても良い。
【００４５】
図６は、ユーザによりマーキングがされた後の「オーダーシート」を模式的に図示した平面図である。  
ユーザは、作成された「オーダーシート」のサムネール画像ＳＭの一覧（画像Ａ〜画像Ｏ）を観ながら、各サムネール画像ＳＭの画像から所望の分類条件で区切りとなる分類用マーキングエリアＧを特定してマーキングする。分類用マーキングエリアＧは、並び順に隣接するサムネール画像ＳＭの間にそれぞれ配置されている。例えば、図６において、画像Ｂのサムネール画像ＳＭと画像Ｃのサムネール画像ＳＭとの間の分類用マーキングエリアＧをマーキングすると、画像Ａ〜画像Ｏに対応するそれそれのデジタル画像ファイルは、画像Ａ及びＢと画像Ｃ〜画像Ｏとの２つのグループに分類されることになる。
【００４６】
また、ユーザは、作成された「オーダーシート」のサムネール画像ＳＭの一覧（画像Ａ〜画像Ｏ）を観ながら、不要で保存する必要のないデジタル画像ファイルのサムネール画像ＳＭに対応する保存不要指定マーキングエリアＳをマーキングする。保存不要指定マーキングエリアＳは、各サムネール画像ＳＭの下側に一対一で対応するように配置されており、保存不要指定マーキングエリアＳがマーキングされたサムネール画像ＳＭのデジタル画像ファイルは、ハードディスクドライブ２０１のハードディスクへの保存対象外となり保存されない。
【００４７】
そして、上記のようにしてユーザがマーキングした後の「オーダーシート」のマーキング状態は、スキャナユニット４１で「オーダーシート」を読み取ることによって特定することができる。
【００４８】
図７は、スキャナユニット４１による「オーダーシート」の読み取り手順を示したフローチャートである。  
「オーダーシート」の読み取りを行うか中止するかの選択がユーザに表示されている状態（図５のステップＳ７）から、まず、オーダーシート読取スイッチ４２（図２、図３）が操作されたか否かを判定する（ステップＳ１１）。オーダーシート読取スイッチ４２が操作されていない場合には（ステップＳ１１でＮｏ）、オーダーシート読取中止スイッチ４３が操作されているか否かを判定し（ステップＳ１２）、オーダーシート読取中止スイッチ４３が操作されている場合には（ステップＳ１２でＹｅｓ）、そのまま当該手順を終了する。また、オーダーシート読取中止スイッチ４３が操作されていない場合には（ステップＳ１２でＮｏ）、ステップＳ１１に戻り、オーダーシート読取スイッチ４２が操作されたか否かを再度判定する（ステップＳ１１）。一方、オーダーシート読取スイッチ４２が操作されている場合には（ステップＳ１１でＹｅｓ）、つづいて、オーダーシート識別用表示ＳＤを読み取り（ステップＳ１３）、読み取り対象の記録紙Ｐが「オーダーシート」なのか否かを判定する（ステップＳ１４）。
【００４９】
所定の位置にオーダーシート識別用表示ＳＤが記録されていない等、オーダーシート識別用表示ＳＤを正常に読み取ることができないことから、読み取り対象の記録紙Ｐが「オーダーシート」でないと判定した場合には（ステップＳ１４でＮｏ）、「オーダーシート」の読み取りエラーを表示するとともに再読込ｏｒ中止の操作選択表示を液晶ディスプレイ等（図示せず）に表示して（ステップＳ１５）、ステップＳ１１へ戻る。一方、オーダーシート識別用表示ＳＤを正常に読み取ることができて、読み取り対象の記録紙Ｐが「オーダーシート」であると判定した場合には（ステップＳ１４でＹｅｓ）、つづいて、「オーダーシート」の各分類用マーキングエリアＧ及び各保存不要指定マーキングエリアＳを全て読み取り、そのマーキング状態を一時的にＲＡＭ１０２に保存する（ステップ１６）。
【００５０】
つづいて、残りの「オーダーシート」があるか否かを判定する（ステップＳ１７）。「オーダーシート」が複数頁に渡るかどうか及び残りの「オーダーシート」の有無は、オーダーシート識別用表示ＳＤから特定できる情報に含まれている「オーダーシート」の総頁数及び当該「オーダーシート」の頁番号から特定することができる。残りの「オーダーシート」がある場合には（ステップ１７でＹｅｓ）、次の「オーダーシート」のセット要求の表示並びに読み込みｏｒ中止の操作選択表示を液晶ディスプレイ等に表示して（ステップＳ１８）、ステップＳ１１へ戻る。そして、残りの「オーダーシート」がなくなった時点で（ステップＳ１７でＮｏ）、ハードディスクへの保存開始ｏｒ中止の操作選択表示を液晶ディスプレイ等に表示して（ステップＳ１９）、当該手順を終了する。
【００５１】
図８は、ＰＷセンサ３４による「オーダーシート」の読み取りを模式的に図示した平面図である。  
図９は、ＰＷセンサ３４による「オーダーシート」の読み取り手順を示したフローチャートである。  
スキャナユニット４１を搭載していないインクジェット式記録装置５０でも本発明の実施は可能である。そのようなインクジェット式記録装置５０においては、キャリッジ６１に搭載されているＰＷセンサ３４で「オーダーシート」上を走査して、各マーキング欄の光反射率等からマーキング状態を読み取ることが可能である。以下、その手順について図８のフローチャートを参照しながら説明する。
【００５２】
ステップＳ２１及びＳ２２は、図７に示したフローチャートのステップＳ１１及びＳ１２と同じなので説明は省略する。オーダーシート読取スイッチ４２が操作されている場合には（ステップＳ２１でＹｅｓ）、給紙トレイ５７に載置された「オーダーシート」を給紙し（ステップＳ２３）、キャリッジ６１を主走査方向Ｘへ移動させることによりＰＷセンサ３４でオーダーシート識別用表示ＳＤを走査可能な位置まで、「オーダーシート」を副走査方向Ｙへ搬送する（ステップＳ２４）。尚、このオーダーシート識別用表示ＳＤの副走査方向Ｙの位置は、例えば、「オーダーシート」の様式、紙検出器３３からＰＷセンサ３４までの副走査方向Ｙの物理的間隔及び紙検出器３３で「オーダーシート」の先端を検出した時点を起点とする累積搬送量から特定することができる。
【００５３】
つづいて、キャリッジ６１を主走査方向Ｘへ移動させてＰＷセンサ３４でオーダーシート識別用表示ＳＤを走査して（図８の主走査Ｘ１）、オーダーシート識別用表示ＳＤの読み取りを行い（ステップＳ２５）、読み取り対象の記録紙Ｐが「オーダーシート」なのか否かを判定する（ステップＳ２６）。所定の位置にオーダーシート識別用表示ＳＤが記録されていない等、オーダーシート識別用表示ＳＤを正常に読み取ることができないことから、読み取り対象の記録紙Ｐが「オーダーシート」でないと判定した場合には（ステップＳ２６でＮｏ）、「オーダーシート」の読み取りエラーを表示するとともに再読込ｏｒ中止の操作選択表示を液晶ディスプレイ等に表示して（ステップＳ２７）、ステップＳ２１へ戻る。
【００５４】
一方、オーダーシート識別用表示ＳＤを正常に読み取ることができて、読み取り対象の記録紙Ｐが「オーダーシート」であると判定した場合には（ステップＳ２６でＹｅｓ）、つづいて、ＰＷセンサ３４でマーキングエリア（分類用マーキングエリアＧ又は保存不要指定マーキングエリアＳ）を読み取り可能な位置まで「オーダーシート」を搬送し（ステップＳ２８）、キャリッジ６１を主走査方向Ｘへ移動させてＰＷセンサ３４で走査線上の全てのマーキングエリアを走査して（図８の主走査Ｘ２）、各マーキングエリアのマーキング状態を読み取り（ステップＳ２９）、読み取ったマーキング状態を一時的にＲＡＭ１０２に保存する（ステップ３０）。
【００５５】
つづいて、次のマーキングエリアがあるか否かを「オーダーシート」の様式から判定し（ステップＳ３１）、次のマーキングエリアがある場合には（ステップＳ３１でＹｅｓ）、ステップＳ２８に戻って残りのマーキングエリアを読み取るための残りの主走査動作を繰り返して（図８の主走査Ｘ３〜Ｘ１１）全てのマーキングエリアのマーキング状態を検出する。そして、全てのマーキングエリアのマーキング状態を読み取った時点で（ステップＳ３１でＮｏ）、当該「オーダーシート」を排紙した後（ステップＳ３２）、「オーダーシート」が複数頁に渡る場合には、残りの「オーダーシート」があるか否かを判定する（ステップＳ３３）。残りの「オーダーシート」がある場合には（ステップ３３でＹｅｓ）、次の「オーダーシート」のセット要求の表示並びに読み込みｏｒ中止の操作選択表示を液晶ディスプレイ等に表示して（ステップＳ３４）、ステップＳ２１へ戻る。引き続き、上記手順（ステップＳ２１〜Ｓ３３）を繰り返し実行し、残りの「オーダーシート」がなくなった時点で（ステップＳ３３でＮｏ）、ハードディスクへの保存開始ｏｒ中止の操作選択表示をして（ステップＳ３４）、当該手順を終了する。
【００５６】
図１０は、不揮発性メモリカード３０３内のデジタル画像ファイルをハードディスクドライブ２０１のハードディスクに保存する手順を示したフローチャートである。尚、当該フローチャートに示した手順は、例えば、カードＩＦ１１１を介して不揮発性メモリカード３０３から一連のデジタル画像ファイル群を入力可能な状態にあるときに、ユーザが所定の保存操作を行うと記録制御部１００が実行する手順である。
【００５７】
まず、ユーザにより保存中止操作が行われたか否かを判定し（ステップＳ４１）、保存中止操作が行われている場合には（ステップＳ４１でＹｅｓ）、そのまま当該手順を終了する。一方、保存中止操作が行われていない場合には（ステップＳ４１でＮｏ）、つづいて、図５のフローチャートのステップＳ１で作成して保持しているファイル識別番号リストの識別番号に対応するファイル識別番号カウンタのカウント値ｎに１（初期値）をセットする（ステップＳ４２）。また、後述するグループ識別番号に対応するグループ識別番号カウンタのカウント値ｍに１（初期値）をセットする（ステップＳ４３）。
【００５８】
つづいて、ファイル識別番号リストを参照して、ファイル識別番号カウンタのカウント値ｎに対応するデジタル画像ファイルが不揮発性メモリカード３０３内にあるか否かを判定する（ステップＳ４４）。ファイル識別番号カウンタのカウント値ｎに対応するデジタル画像ファイルがある場合には（ステップＳ４４でＹｅｓ）、そのデジタル画像ファイルのサムネール画像ＳＭに対応する保存不要指定マーキングエリアＳにマーキングがされているか否かを記憶しているマーキング状態から判定する（ステップＳ４５）。
【００５９】
当該サムネール画像ＳＭの保存不要指定マーキングエリアＳにマーキングがされていない場合には（ステップＳ４５でＮｏ）、ファイル識別番号ｎのデジタル画像ファイルをグループ番号ｍのグループに関連付ける（ステップＳ４６）。つづいて、「オーダーシート」上の当該デジタル画像ファイルのサムネール画像ＳＭとその次のサムネール画像ＳＭとの間の分類用マーキングエリアＧにマーキングがされているか否かを記憶しているマーキング状態から判定し（ステップＳ４７）、マーキングがされていた場合には（ステップＳ４７でＹｅｓ）、グループ識別番号カウンタのカウント値ｍをインクリメントする（ステップＳ４８）。一方、当該サムネール画像ＳＭの保存不要指定マーキングエリアＳにマーキングがされている場合には（ステップＳ４５でＹｅｓ）、当該デジタル画像ファイルを保存対象から除外するために、ファイル識別番号ｎのデジタル画像ファイルを保存不要グループに関連付ける（ステップＳ４９）。
【００６０】
ファイル識別番号ｎのデジタル画像ファイルのグループ関連付けを実行した後は、ファイル識別番号のカウント値ｎをインクリメントし（ステップＳ５０）、ステップＳ４４へ戻り、インクリメント後のファイル識別番号カウンタのカウント値ｎに対応するデジタル画像ファイルが不揮発性メモリカード３０３内にあるか否かを判定する（ステップＳ４４）。そして、このステップＳ４４〜Ｓ５０までの手順を繰り返し実行した後、インクリメント後のファイル識別番号カウンタのカウント値ｎに対応するデジタル画像ファイルが不揮発性メモリカード３０３内にない状態となった時点で（ステップＳ４４でＮｏ）、フォルダ識別番号カウンタのカウント値Ｆｎに１（初期値）をセットする（ステップＳ５１）。
【００６１】
つづいて、フォルダ識別番号カウンタのカウント値Ｆｎがグループ識別番号カウンタのカウント値ｍ以下か否かを判定する（ステップＳ５２）。フォルダ識別番号カウンタのカウント値Ｆｎがグループ識別番号カウンタのカウント値ｍ以下である場合には（ステップＳ５２でＹｅｓ）、ハードディスクドライブ２０１のハードディスク上にカウント値Ｆｎの番号をフォルダ名とするフォルダを作成する（ステップＳ５３）。つづいて、作成したフォルダ名Ｆｎのフォルダにグループ識別番号Ｆｎで関連付けられている全てのデジタル画像ファイルを保存し（ステップＳ５４）、フォルダ識別番号カウンタのカウント値Ｆｎをインクリメントし（ステップＳ５５）、ステップＳ５２へ戻る。引き続き、インクリメント後のフォルダ識別番号カウンタのカウント値Ｆｎがグループ識別番号カウンタのカウント値ｍ以下か否かを判定する（ステップＳ５２）。
【００６２】
そして、フォルダ識別番号カウンタのカウント値Ｆｎがグループ識別番号カウンタのカウント値ｍを超えた時点で（ステップＳ５２でＮｏ）、不揮発性メモリカード３０３内の全てのデジタル画像ファイルが、グループ番号ｍごとに各フォルダに分類されてハードディスクドライブ２０１のハードディスクに保存されたことになるので、当該手順を終了する。
【００６３】
このような手順により、不揮発性メモリカード３０３内のデジタル画像ファイル群は、例えば、図６に図示した「オーダーシート」のマーキング状態を例に説明すると、以下のようになる。  
図６に図示した「オーダーシート」の分類用マーキングエリアＧは、サムネール画像ＢとＣとの間、サムネール画像ＦとＧとの間、サムネール画像ＨとＩとの間、サムネール画像ＪとＫとの間、の４カ所がマーキングされている。また、サムネール画像Ｄ、Ｈ、Ｌの保存不要指定マーキングエリアＳには、マーキングがされているので、サムネール画像Ｄ、Ｈ、Ｌのデジタル画像ファイルは、保存不要グループに関連付けされてハードディスクドライブ２０１のハードディスクへの保存対象から除外される。したがって、サムネール画像Ａ〜Ｏのデジタル画像ファイルは、以下のように分類されることになる。  
グループ識別番号１  …  画像Ａ、Ｂ
グループ識別番号２  …  画像Ｃ、Ｅ、Ｆ
グループ識別番号３  …  画像Ｇ、
グループ識別番号４  …  画像Ｉ、Ｊ
グループ識別番号５  …  画像Ｋ、Ｍ、Ｎ、Ｏ
保存不要グループ    …  画像Ｄ、Ｈ、Ｌ
以上から、最終的には、以下のサムネール画像のデジタル画像ファイルが以下のように分類されてハードディスクドライブ２０１のハードディスクへ保存される。  
フォルダ名１のフォルダ  …  画像Ａ、Ｂ
フォルダ名２のフォルダ  …  画像Ｃ、Ｅ、Ｆ
フォルダ名３のフォルダ  …  画像Ｇ
フォルダ名４のフォルダ  …  画像Ｉ、Ｊ
フォルダ名５のフォルダ  …  画像Ｋ、Ｍ、Ｎ、Ｏ
尚、自動付与するフォルダ名は、当該実施例においてはフォルダ識別番号カウンタのカウント値Ｆｎをそのまま付与しているが、どのような基準でどのようなフォルダ名を自動付与しても本発明の実施は可能である。例えば、各グループのデジタル画像ファイルのうち最も新しい若しくは最も古い撮影日時又はファイル作成日時をフォルダ名としても良い。
【００６４】
このようにして、本発明に係るインクジェット式記録装置５０によれば、ユーザは、カードスロット２００に挿入された不揮発性メモリカード３０３に保存されている複数のデジタル画像ファイルのような一連のデジタル画像ファイル群について、「オーダーシート」に記録されたそれらのサムネール画像一覧の各画像を観ながら分類用マーキングエリアＧにマーキングをすることにより、視覚的に分類境界を設定して分類して保存することができる。それによって、ＣＤ−Ｒドライブやハードディスクドライブ２０１等を備えたインクジェット式記録装置５０等の記録装置において、多数のデジタル画像ファイルを記憶媒体上で分類して一括管理する際に、ユーザ個々の事情に合わせた分類基準で簡単かつ直感的にデジタル画像ファイルを分類して保存することができる。
【００６５】
また、従来のように画一的な分類ではなくユーザ個々の事情に合わせた分類基準で一連のデジタル画像ファイル群を分類して保存することができるので、ユーザが望む分類に極めて近い分類がなされた状態でデジタル画像ファイルが保存されることが期待できる。それによって、保存後にユーザがその記憶媒体上から所望のデジタル画像ファイルを検索することが容易になり、検索時の労力が低減されるとともに検索時間を短縮することができる。
【００６６】
さらに、ユーザは、最小限の操作と「オーダーシート」のマーキングを行うだけで、あとはインクジェット式記録装置５０が自動的に一連のデジタル画像ファイル群を分類して各フォルダに分けて保存してくれるので、多数のデジタル画像ファイルを記憶媒体上で分類して一括管理する際に従来のような煩雑なパネル操作等が不要になり、利便性も向上する。
【００６７】
さらに、「オーダーシート」には、保存不要指定マーキングエリアＳが設けられているので、撮影を失敗した等で不要なデジタル画像ファイルを選択して保存不要指定マーキングエリアＳをマーキングすれば、多数のデジタル画像ファイルを記憶媒体上で分類して一括管理する際に、撮影を失敗した等で不要なデジタル画像ファイルを事前に排除することができる。したがって、不要なデジタル画像ファイルまで保存してしまうことによって、ハードディスク等の記憶媒体の保存容量が無駄に消費されてしまう虞を低減させることができる。
【００６８】
さらに、スキャナユニット４１やキャリッジ６１に搭載されたＰＷセンサ３４等で「オーダーシート」を読み取る際には、「オーダーシート」の所定の位置に予め記録してあるオーダーシート識別用表示ＳＤを検出して当該記録紙Ｐが確かに「オーダーシート」であることを確認してからマーキング状態を読み取るので、「オーダーシート」以外の記録紙Ｐを読み取ってしまうことによるエラー発生等を未然に防止することができる。
【００６９】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７０】
【図１】本発明に係るインクジェット式記録装置の概略の平面図である。
【図２】本発明に係るインクジェット式記録装置の概略の側面図である。
【図３】本発明に係る記録システムの概略のブロック図である。
【図４】本発明に係るオーダーシートを模式的に図示した平面図である。
【図５】本発明に係るオーダーシートの作成手順を示したフローチャートである。
【図６】マーキング後のオーダーシートの一例を模式的に図示した平面図である。
【図７】オーダーシートの読み取り手順を示したフローチャートである。
【図８】ＰＷセンサによるオーダーシートの読み取りを図示した平面図である。
【図９−１】オーダーシートの読み取り手順を示したフローチャートである。
【図９−２】オーダーシートの読み取り手順を示したフローチャートである。
【図１０−１】ハードディスクに保存する手順を示したフローチャートである。
【図１０−２】ハードディスクに保存する手順を示したフローチャートである。
【符号の説明】
【００７１】
１０  記録システム、３４  ＰＷセンサ、４１  スキャナユニット、４２  オーダーシート読取スイッチ、４３  オーダーシート読取中止スイッチ、５０  インクジェット式記録装置、１００  記録制御部、１０１  ＲＯＭ、１０２  ＲＡＭ、１０３  ＡＳＩＣ、１０４  ＭＰＵ、１０５  不揮発性メモリ、２００  カードスロット、２０１  ハードディスクドライブ、３０２  デジタルカメラ、３０３  不揮発性メモリカード、Ｇ  分類用マーキングエリア、Ｐ  記録紙、Ｓ  保存不要指定マーキングエリア、ＳＤ  オーダーシート識別用表示、ＳＭ  サムネール画像、Ｘ  主走査方向、Ｙ  副走査方向
【図１】
0004721001.tif 000002
【図２】
0004721001.tif 000003
【図３】
0004721001.tif 000004
【図４】
0004721001.tif 000005
【図５】
0004721001.tif 000006
【図６】
0004721001.tif 000007
【図７】
0004721001.tif 000008
【図８】
0004721001.tif 000009
【図９−１】
0004721001.tif 000010
【図９−２】
0004721001.tif 000011
【図１０−１】
0004721001.tif 000012
【図１０−２】
0004721001.tif 000013